(57)【要約】  本発明は、細長い形状の円筒体を備える電子ビーム装置であって、電子出口窓が円筒体の長手方向に延在する、電子ビーム装置に関する。円筒体は、少なくとも部分的に真空室を形成し、その真空室は、細長い形状のカソードハウジング（１１２）を具備しているカソードと、カソードハウジング（１１２）の細長い形状に沿って共に延在する制御格子（１１４）および電子を発生する少なくとも１つのフィラメント（１２０）と、を内部に備える。制御格子（１１４）とカソードハウジング（１１２）とは、連結手段（１１８）によって互いに連結される。制御格子（１１４）またはカソードハウジング（１１２）の自由な長手終端部同士は、電子ビーム形成電極を形成するための膨出形状（１２６）を形成するために、互いに向かう方向に曲げられる。本発明は、電子ビーム装置を製造する方法もさらに含んでいる。
2014526037.tif 000002
【特許請求の範囲】
【請求項１】
細長い形状の円筒体（１０２）を備える電子ビーム装置（１００）であって、電子出口窓（１０４）が前記円筒体（１０２）の長手方向に延在し、前記円筒体（１０２）が少なくとも部分的に真空室を形成し、前記真空室が、細長い形状のカソードハウジング（１１２）を具備するカソードと、前記カソードハウジング（１１２）の細長い形状に沿って共に延在する制御格子（１１４）および電子を発生する少なくとも１つのフィラメント（１２０）と、を内部に備え、前記制御格子（１１４）および前記カソードハウジング（１１２）が連結手段（１１８）によって互いに連結され、前記制御格子（１１４）または前記カソードハウジング（１１２）のいずれかの自由な長手終端部同士が、電子ビーム形成電極を形成するための膨出形状（１２６）を形成するために、互いに向かう方向に曲げられた電子ビーム装置（１００）。
【請求項２】
前記制御格子（１１４）は、電子が通過できる本質的に中央に配置された有孔面（１１５）を備え、前記制御格子（１１４）または前記カソードハウジング（１１２）のいずれかの前記長手終端部同士は、前記膨出形状（１２６）が前記有孔面（１１５）の長手境界部（１３０）へと延在するように、互いに向かう方向に前記制御格子（１１４）の上で曲げられる請求項１に記載の電子ビーム装置（１００）。
【請求項３】
前記膨出形状（１２６）は、その自由縁（１３２）が前記制御格子（１１４）の有孔面（１１５）に本質的に直交する方向を向くように形成された請求項１または２に記載の電子ビーム装置（１００）。
【請求項４】
前記自由縁（１３２）は前記制御格子（１１４）へと本質的に延在している請求項３に記載の電子ビーム装置（１００）。
【請求項５】
前記膨出形状（１２６）を形成するために曲げられている前記長手終端部同士は、前記連結手段（１１８）の上で曲げられて、前記連結手段（１１８）を少なくとも一部包囲している請求項１から４のいずれか一項に記載の電子ビーム装置（１００）。
【請求項６】
前記カソードハウジング（１１２）は細長い半円環状の外殻として形成され、前記外殻の開いている側が前記制御格子（１１４）によって覆われた請求項１から５のいずれか一項に記載の電子ビーム装置（１００）。
【請求項７】
前記少なくとも１つのフィラメント（１２０）は、前記カソードハウジング（１１２）の半円環状の前記外殻内の本質的に中央において前記外殻に沿って延在している請求項６に記載の電子ビーム装置（１００）。
【請求項８】
前記膨出形状（１２６）は前記制御格子（１１４）で形成され、
前記カソードハウジング（１１２）の自由な長手終端部は、内向きに曲げられ、前記制御格子（１１４）の有孔面と本質的に平行に向けられた径方向の突起（１１６）を形成し、
前記連結手段（１１８）は、前記カソードハウジング（１１２）の前記突起（１１６）に連結されるとともに前記制御格子（１１４）の領域にも連結され、前記領域が前記有孔面（１１５）と前記膨出形状（１２６）との間に設けられた請求項２から７のいずれか一項に記載の電子ビーム装置（１００）。
【請求項９】
前記制御格子（１１４）と前記カソードハウジング（１１２）とは別々の電源に接続され、前記連結手段（１１８）は電気絶縁要素である請求項１から８のいずれか一項に記載の電子ビーム装置（１００）。
【請求項１０】
前記電子ビーム装置（１００）は三極管型のものであり、前記フィラメント（１２０）は第１の電源に接続され、前記カソードハウジング（１１２）は第２の電源に接続され、前記制御格子（１１４）は第３の電源に接続され、前記円筒体（１０２）および前記電子出口窓（１０４）は接地された請求項９に記載の電子ビーム装置（１００）。
【請求項１１】
前記カソードハウジング（１１２）はステンレス鋼から作られた請求項１から１０のいずれか一項に記載の電子ビーム装置（１００）。
【請求項１２】
前記制御格子（１１４）はステンレス鋼から作られた請求項１から１１のいずれか一項に記載の電子ビーム装置（１００）。
【請求項１３】
前記円筒体（１０２）はステンレス鋼から作られた請求項１から１２のいずれか一項に記載の電子ビーム装置（１００）。
【請求項１４】
前記連結手段（１１８）はセラミック材料から作られた請求項１から１３のいずれか一項に記載の電子ビーム装置（１００）。
【請求項１５】
細長い形状の円筒体（１０２）を備える電子ビーム装置（１００）であって、電子出口窓（１０４）が円筒体（１０２）の長手方向に延在し、前記円筒体（１０２）が少なくとも部分的に真空室を形成し、前記真空室が、細長い形状のカソードハウジング（１１２）を具備するカソードと、前記カソードハウジング（１１２）の細長い形状に沿って共に延在する制御格子（１１４）および電子を発生する少なくとも１つのフィラメント（１２０）と、を内部に備える、電子ビーム装置（１００）を製造する方法であって、
前記制御格子（１１４）および前記カソードハウジング（１１２）を連結手段（１１８）によって互いに連結するステップと、
前記制御格子（１１４）または前記カソードハウジング（１１２）のいずれかの自由な長手終端部同士を、電子ビーム形成電極を形成するための膨出形状を形成するために、互いに向かう方向に曲げるステップと、
を含む方法。
【発明の詳細な説明】
【技術分野】
【０００１】
本発明は、電子ビーム装置、および電子ビーム装置を製造する方法に関する。
【背景技術】
【０００２】
典型的な電子ビーム装置は、密封された、すなわち真空気密の本体部を備え、本体部内部にカソードハウジングが配置される。カソードハウジングは、電子を生成するために電流によって加熱されるフィラメントを備える。したがって、生成された電子は、高電位によって加速され、典型的には支持格子に支持された薄い窓箔である、本体部の出口窓を通って出ていく。電子ビーム装置は、インクもしくは接着剤の硬化、または、容量物もしくは表面の殺菌など、いくつかの目的のために使用されることがある。加速電圧、ビームプロフィルなどの印加特性に応じて、電子ビーム装置の形状は変化することになる。本発明の教示は、織物の包装材料の殺菌に使用される電子ビーム装置に有利に適用できるが、その理由は、その目的のために設計されている電子ビーム装置の性能を大幅に改善できるからである。しかしながら、同様の構造を持つ他の電子ビーム装置に適用できることを理解されたい。
【０００３】
織物の包装材料の殺菌の分野においては、殺菌の質が確保されているならば、安定性、耐久性、および寿命などの性能因子が重要な問題となる。電子ビーム装置があらゆる所与の状況において所望のビーム形状を生成するために、前述のすべての構成部品およびさらに別の構成部品を最適化することができる。
【０００４】
本発明は、包装容器の生産に用いられる織物の包装材料など、より大きな表面を処理するために使用される細長い電子ビーム装置の背景に関する。より詳細には、本発明は、適切な品質を確保しつつ電子ビーム装置の組立を簡略化するという観点において、上記のような電子ビーム装置を改良することに関する。
【発明の概要】
【課題を解決するための手段】
【０００５】
本発明は、細長い形状の円筒体を備える電子ビーム装置であって、電子出口窓が円筒体の長手方向に延在する、電子ビーム装置に関する。円筒体が少なくとも部分的に真空室を形成し、真空室が、細長い形状のカソードハウジングを具備するカソードと、カソードハウジングの細長い形状に沿って共に延在する制御格子および電子を発生する少なくとも１つのフィラメントと、を内部に備える。制御格子およびカソードハウジングは連結手段によって互いに連結され、制御格子またはカソードハウジングのいずれかの自由な長手終端部（free longitudinal end portions）同士は、電子ビーム形成電極を形成するための膨出形状を形成するために、互いに向かう方向に曲げられる。この手法では、容易に製造および組み立てられるカソードを備え、電子出口窓の面に本質的に（essentially）直交する方向で電子が電子出口窓に達するように電界を形成できる電子ビーム装置が提供される。本発明の電子ビーム装置を用いれば、例えば、幅広の織物の包装材料を殺菌するのに非常に適切な電子ビームが形成される。
【０００６】
一実施形態では、制御格子は、電子が通過できる本質的に中央に配置された有孔面を備え、制御格子またはカソードハウジングのいずれかの長手終端部同士は、膨出形状（bulge-like shapes）が有孔面の長手境界部へと延在するように、互いに向かう方向に制御格子の上で曲げられる。膨出形状は、電子が本質的に直角に、すなわち、出口窓の面に本質的に直交する方向で出口窓に達するように電界を形成するのを助けることになる。実際、電極は、電子軌跡を電子ビームの中心へと若干「曲がる」ようにさせることで、電子軌跡が拡がる傾向のある出口窓の近く、すなわち、電子ビームが制御格子の近くよりも、通常はより拡がることになる出口窓の近くで、電子軌跡が「曲がっていく」のとは反対に作用することになる。
【０００７】
一実施形態では、膨出形状は、その自由縁が制御格子の有孔面に本質的に直交する方向を向くように形成される。その自由縁は、制御格子へと本質的に下方に延在する。これが、前述の電子を向かわせる効果にさらに加わる。
【０００８】
一実施形態では、膨出形状を形成するために曲げられている長手終端部同士は、連結手段の上で曲げられて、連結手段を少なくとも一部包囲する。したがって、連結手段の形は、電界に対してまったくもしくはほとんど影響を与えることはなく、そのため、カソードハウジングと制御格子とを連結することができる最も優れた方法で設計することができる。
【０００９】
電子を制御格子に一様に向かわせるために、カソードハウジングは細長い半円環状の外殻として好ましくは形成され、外殻の開いている側は制御格子によって覆われる。
【００１０】
１つまたは複数の現在の好ましい実施形態では、少なくとも１つのフィラメントは、半円環状の外殻内の本質的に中央において外殻に沿って延在する。この実施形態は、小型で組み立てが容易なカソードを実現する。
【００１１】
一実施形態では、膨出形状は制御格子で形成され、カソードハウジングの自由な長手終端部は、内向きに曲げられ、制御格子の有孔面と本質的に平行に向けられた径方向の突起を形成し、連結手段は、カソードハウジングの突起に連結されるとともに制御格子の領域にも連結され、その領域は有孔面と膨出形状との間に設けられる。この実施形態によって、カソードの部品を容易に製造および組み立てられる。
【００１２】
一実施形態では、制御格子とカソードハウジングとは別々の電源に接続され、連結手段は電気絶縁要素である。この実施形態は、制御格子が電子ビームを能動的に形作る三極管型の電子ビーム装置を形成することになる。
【００１３】
一実施形態では、電子ビーム装置は三極管型のものであり、フィラメントは第１の電源に接続され、カソードハウジングは第２の電源に接続され、制御格子は第３の電源に接続され、円筒体および電子出口窓は接地される。これは、効率のよい三極管型電子ビーム装置の例である。
【００１４】
さらに他の実施形態は、追加の従属請求項によって定められる。
【００１５】
さらに、本発明は、細長い形状の円筒体を備える電子ビーム装置であって、電子出口窓が円筒体の長手方向に延在する、電子ビーム装置を製造する方法も提供する。円筒体が少なくとも部分的に真空室を形成し、真空室が、細長い形状のカソードハウジングを具備するカソードと、カソードハウジングの細長い形状に沿って共に延在する制御格子および電子を発生する少なくとも１つのフィラメントと、を内部に備える。この方法は、制御格子およびカソードハウジングを連結手段によって互いに連結するステップと、制御格子またはカソードハウジングのいずれかの自由な長手終端部同士を、電子ビーム形成電極を形成するための膨出形状を形成するために、互いに向かう方向に曲げるステップと、を含む。
【００１６】
以下に、本発明の現在の好ましい実施形態が、添付の概略図を参照しつつ、より詳細に説明される。
【図面の簡単な説明】
【００１７】
【図１】本発明の一実施形態による電子ビーム装置の斜視図である。
【図２】図１の電子ビーム装置で用いることができるカソードの斜視図である。
【図３】図２のカソードの長手方向における断面図である。
【図４】図２のカソードの第１の実施形態の概略断面図である。
【図５ａ】制御格子をカソードハウジングに連結する連結手段の図である。
【図５ｂ】連結手段を連結するために制御格子とカソードハウジングとで用いられる孔の図であり、点線は、取付状態および固定状態の２つの状態における、連結手段の最大直径を示す図である。
【図６ａ】カソードハウジングの一部の斜視図である。
【図６ｂ】制御格子の一部の斜視図である。
【図７】カソードの第２の実施形態の概略断面図である。
【図８】カソードの第３の実施形態の概略断面図である。
【発明を実施するための形態】
【００１８】
図１は、本発明の密封された例示の電子ビーム装置１００の斜視図であり、その外観のみを示している。図面の目的は、単に、電子ビーム装置の基本的な構成部品を図示することであり、その目的が、正確な構造図面を提供することではなく、また、本発明をなにか他に限定する方法で提供することではないことは強調されなければならない。
【００１９】
電子ビーム装置の主要な構成部品は、細長い形状の円筒体１０２である。出口窓部１０４は、円筒体１０２の内部の真空からの電子に出口を提供する。出口窓部１０４は、本発明に関係していないが円筒体１０２の内部の真空を保ちつつ電子に出口窓を提供する特徴を有する部分組立品をさらに備える。円筒体１０２の近位端は、電気接続部１０６と絶縁性のセラミック円板１０８とを備える組立体を具備し、セラミック円板１０８は組立体と円筒体１０２の内周部とを封止する。本実施形態では、セラミック円板１０８は、実際には、細長い円筒体に溶接される円筒部材１１０の内周部を封止する。本発明に関係していないため、この構成は、電子ビーム装置の組立、分解、再組立を単純化している。
【００２０】
円筒体１０２の内部には、カソードが配置されている。カソードは、図２および図３に図示される構成部品のうちの１つであるカソードハウジング１１２を備えている。円筒部材１１０およびセラミック円板１０８ははっきりと見ることができ、当業者は、図１の組立体を形成するために、図示した構成がどのように円筒体１０２に挿入されるかは理解できる。カソードハウジング１１２は、半円環状の外殻として形成され、その開いている側は制御格子１１４によって覆われている。カソードハウジング１１２の半円環状の外殻の内部には、カソードハウジング１１２の近位端から遠位端へと延在する１つまたは複数のフィラメント１２０（図３参照）が配置されている。使用の際、電子ビームは、電流を用いてフィラメント１２０を加熱するとともに、電子出口窓１０４に向かう電子をカソードハウジング１１２と（アノードである）出口窓１０４との間の高電位によって加速することによって、発生させられる。高電位は、例えば、カソードハウジングを電源に接続するとともに、円筒体を接地することによって作り出される。
【００２１】
制御格子１１４にも電位を印加することで、電子の放出をさらに抑制することができる。別々とされた変更可能な電位が制御格子１１４に印加される場合、それによって、発生した電子ビームを能動的に形作るために制御格子１１４を用いることが可能となる。この目的のために、制御格子１１４は別々の電源（図示せず）に電気的に接続されてもよい。このような型式の電子ビーム装置は、三極管と一般的に称される。三極管は、一般的に、フィラメントが第１の電源に接続され、カソードハウジングが第２の電源に接続され、制御格子が第３の電源に接続されることを特徴とする。
【００２２】
制御格子１１４は、電子が通過するための開口または貫通孔のパターンを有する平らな有孔面１１５を備えている。カソードハウジング１１２の開いている側は、制御格子１１４を支持しており、明白な理由のため、出口窓部１０４を向いているべきである。
【００２３】
カソードの第１の実施形態が図４に示されている。カソードハウジング１１２の自由な長手終端部（free longitudinal end portions）が、互いに向かう方向、すなわち、長手方向に延在する縁に直交している短手方向において、内向きに曲げられている。それにより、縁は径方向の突起１１６を形成する。これらの径方向の突起１１６は、好ましくは、制御格子１１４の平らな有孔面１１５に対して平行であって直線的である。制御格子１１４は、連結手段１１８を用いて、連結位置で突起１１６に連結されている。カソードハウジング１１２と制御格子１１４との間に電位差がある場合には、連結手段１１８は電気絶縁要素であるのが好ましい。そのような場合、電気絶縁要素は、例えば、セラミック材料Ａｌ２Ｏ３から作られるのが好ましい。
【００２４】
連結手段１１８の例は図５ａに示されている。連結手段１１８は、Ｘ軸に周りに回転対称となっている。連結手段１１８は、３カ所のより大きな直径の部分と、２カ所のより小さな直径の中間部分とを備えている。より大きな直径の部分のうちの真ん中の部分は、他の２カ所のより大きな直径の部分よりもさらに大きくなっている。制御格子とカソードハウジングとは、連結手段１１８によって穴を介して互いに連結されている。典型的な孔形状１４４は図５ｂに示されている。図５ａおよび図５ｂが互いに同じ尺度とはなっていないことは指摘しておくべきであろう。孔１４４は、より大きな直径の円形部１２２と、より小さな直径の長円形部１２４とを備える。円形部１２２のより大きな直径は、連結手段１１８の２番目に大きな直径よりも若干大きくなっている。長円形部１２４のより小さな直径は、連結手段１１８の中間部分のより小さな直径よりも若干小さい、もしくは、その直径に本質的に等しくなっている。図６ａでは、カソードハウジング１１２の一部が、径方向の突起１１６と共にはっきりと視認可能に図示されている。径方向の突起１１６には、図５ｂの前述の孔形状１４４の貫通孔が設けられている。複数のこのような孔１４４が、長手方向に延在する径方向の突起１１６に沿って設けられている。同様に、複数のこのような孔１４４が、制御格子１１４に設けられている。孔１４４は、有孔面１１５と膨出形状（bulge-like shapes）１２６との間に設けられた領域に配置され、膨出形状は下記で、さらに詳細に説明される。図６ｂは制御格子を「逆さま」に示しており、それによって、カソードハウジングを向くように適合された有孔面１１５をはっきりと見ることができることに留意されたい。さらに、簡略化のために、有孔面１１５は本明細書では空白で示されている（電子のための貫通する開口のパターンを見ることはできなくされている）。
【００２５】
連結手段１１８は、その端部を孔１４４のより大きな円形部１２２を通すことで孔１４４に取り付けられる。したがって、連結手段１１８の最も大きな直径の径方向の表面は、突起１１６において孔１４４の周囲の表面に載る状態となる。それにより、連結手段１１８は取付状態になる。次に、連結手段１１８は、それがしっかりと固定される孔１４４のより小さい長円形部１２４に向かってスライドされる。これで固定状態となる。取付状態および固定状態における連結手段１１８の位置は、図５ｂに点線で示される。制御格子１１４およびカソードハウジング１１２は、カソードハウジング１２０の各孔１４４に１つの連結手段１１８を配置するとともに、連結手段１１８を固定状態にスライドすることによって、互いに取り付けられる。したがって、制御格子１１４は、カソードハウジング１１２に取り付けられた連結手段１１８を、その他方の端において、制御格子１１４の孔１４４のより大きな円形部において受け入れるように配置される。そして、制御格子１１４はカソードハウジング１１２の上で所定位置にスライドされ、それによって、制御格子１１４は、連結手段１１８が制御格子１１４の孔１４４のより小さい長円形部１２４に最終的に位置するように配置されることになる。
【００２６】
図４に示す、カソードの第１の実施形態では、制御格子１１４の自由な長手終端部１２８同士は、互いに向かう方向に、すなわち、長手終端部の延出に直交している短手方向に曲げられることで、電子ビーム形成電極を形成するための膨出形状１２６を形成している。このような電極は、「ウェーネルト」電極と称されることがある。膨出形状は、予測可能な滑らかな電界の発生における助けとなって、電子ビーム装置１００の性能の利益となる。膨出形状は、電子が本質的に直角に、すなわち、出口窓１０４の面に本質的に直交する方向で出口窓１０４に達するように電界を形成するのを助ける。実際、電極は、電子軌跡を電子ビームの中心へと若干「曲がる」ようにさせることで、電子軌跡が拡がる傾向のある出口窓１０４の近く、すなわち、電子ビームが、制御格子１１４の近くよりも、通常はより拡がることになる出口窓１０４の近くで、電子軌跡が「曲がっていく」のとは反対に作用することになる。
【００２７】
「膨出形状」という用語は、限定的に解釈されるべきではなく、本明細書では、例えば、膨らんだ形状、玉のような形状、巻いた形状、湾曲した形状、波のような形状、または、半円の形状を形成するあらゆる形状として解釈されるべきである。また、例えば、半三角形状といった多角的に一続きとされた形状など、より直線的な形状をも意味することができる。
【００２８】
制御格子１１４は、その中心に位置された有孔面１１５に向かって、制御格子１１４自体の上に巻かれるようにして曲げられている。膨出形状１２６は、有孔面１１５の長手境界部１３０へと延在するように作られている。さらに、膨出形状１２６は、その自由縁（free edges）１３２が制御格子１１４の有孔面１１５に本質的に直交する方向を向くように形成されている。その自由縁１３２は、制御格子１１４へと本質的に下方に延在し、小さな隙間だけを残している。図４に見ることができるように、長手終端部１２８は連結手段１１８上で曲げられて、連結手段１１８を少なくとも一部包囲している。
【００２９】
前述のカソードは、図２に示すように、電子ビーム装置内に嵌め込まれている。近位端と同様に、カソードハウジング１１２の遠位端は、電気接続部とともに、フィラメント１２０用の物理的な懸架部を備える。遠位端では、この構成が半球形状の蓋１３４内に収容されて覆われている。半球形状の蓋を用いることは、効果的な方法で蓋の内部の構成部品を蓋の外部の電界から遮蔽することになり、また反対に、例えば、蓋の内部の構成部品の形状が電界に弊害をもたらすように影響することはないことを示唆している。
【００３０】
蓋１３４は、図３に示すように、断面において一部が半球を若干超えるような球形の外殻の形態を有している。本実施形態の蓋１３４は軸対称であり、自由端には中実の膨出部１３６が設けられ、膨出部１３６は自由縁に滑らかな外観ももたらすことで、電界強度が小さく保たれることになる。膨出部１３６の内周縁によって定められる蓋１３４の開口は、カソードハウジング１１２の一部を内部に挿入できるように、カソードハウジング１１２の半円環状の外殻に嵌まり合うように寸法が定められている。蓋１３４の開口は、半円環状の外殻の曲率となるような直径を有しており、開口の下半分を効果的に塞いでいる。開口の上半分は板１３８によって覆うことができ、電界が蓋１３４に入るのを防ぎ、蓋１３４に対してカソードハウジング１１２を位置決めしている。蓋１３４は、一体に形成された、開放された端部（自由縁と玉のような形状とが設けられている）と半球体とを備えるように示されてもよい。
【００３１】
近位端において、カソードハウジング１１２は細長い円筒体に懸架されている。この懸架の方法は１つの方法だけで提供されなくてもよく、図３で最もよく理解できる懸架は、以前には示されていない一選択肢である。カソードハウジングは、本明細書では詳細に説明しないいくつかの中間部品によって、円板１０８の中心の開口に効率よく懸架されている。近位端での電界の歪みを回避するために、以下において「近位蓋」１４０と称されることになる、近位端にも蓋が設けられている。近位蓋１４０の開放された端部における自由縁には、玉のような形状が設けられ、開放された端部自体は、蓋１３４の対応する端部と実質的に同等である。しかしながら、蓋１３４は開放された端部と半球体とを備えるように示されたが、近位蓋１４０は、円筒体の近位端で懸架構成部に嵌め合わされるように、開放された端部と円筒形の外殻とを備える。
【００３２】
好ましくは、カソードハウジング、円筒体、および制御格子は、ステンレス鋼からすべて作られる。
【００３３】
図２および図４において、カソードハウジング１１２の半円環状の外殻の断面は、滑らかな円形とされておらず、小平面１４２によって、または、多角的に一続きとされて形成される。これによって、電子ビーム装置の製造において用いられる曲げ加工がかなり容易になる。さらに、カソードハウジング１１２には、カソードハウジング１１２の細長形状を交差する補強材として機能する多くの支柱部（図示せず）が設けられている。
【００３４】
カソードの第２の実施形態が図７に示されている。簡単にするため、同じ参照符号が対応する要素に用いられており、第１の実施形態と第２の実施形態との間の異なる点だけを説明する。図面で見ることができるように、第２の実施形態は、第１の実施形態に非常に似ている。基本的には、異なる形状を有する制御格子１１４およびその膨出形状１２６だけである。制御格子１１４は、有孔面１１５の面が連結手段１１８用の孔１４４が設けられる領域を構成する面からずれるように曲げられている。有孔面１１５は、カソードハウジング１１２から離れる方向にずらされている。この実施形態は、第１の実施形態よりも複雑な設計であるが、電界強度がより小さくなる。
【００３５】
カソードの第３の実施形態が図８に示されている。簡単にするため、ここでも同じ参照符号が対応する要素に用いられており、第１の実施形態と第３の実施形態との間の異なる点だけを説明する。第３の実施形態では、カソードハウジング１１２の自由な長手終端部同士が、電子ビーム形成電極を形成するための膨出形状１２６を形成するために、互いに向かう方向に曲げられている。連結手段１１８を保持するように適合された径方向の突起１１６は、カソードハウジング１１２の内側面に連結された要素１４４によって形成されている。要素１４４は、好ましくは、内側面に溶接またはロウ付けされてもよい。他の代わりの取付方法は、例えば、接着剤、リベット打ち、またはねじ止めがある。要素１４４によって、制御格子１１４を第１の実施形態と同様の位置に保持することができる。
【００３６】
本発明は、細長い形状の円筒体１０２を備える電子ビーム装置１００であって、電子出口窓１０４が円筒体１０２の長手方向に延在する、電子ビーム装置１００を製造する方法もさらに含む。円筒体１０２は、少なくとも部分的に真空室を形成している。真空室は、細長い形状のカソードハウジング１１２を具備しているカソードと、カソードハウジング１１２の細長い形状に沿って共に延在する制御格子１１４および電子を発生する少なくとも１つのフィラメント１２０とを内部に備えている。この方法は、制御格子１１４およびカソードハウジング１１２を連結手段１１８によって互いに連結するステップと、制御格子１１４またはカソードハウジング１１２のいずれかの自由な長手終端部１２２同士を、電子ビーム形成電極を形成するための膨出形状を形成するために、互いに向かう方向に曲げるステップと、を含む。
【００３７】
本発明は、現在の好ましい実施形態に関して説明したが、様々な改良や変更が、添付の特許請求の範囲において定義された本発明の目的および範囲から逸脱することなく行われ得ることは理解されるであろう。
【符号の説明】
【００３８】
１００  電子ビーム装置
１０２  円筒体
１０４  電子出口窓
１０６  電気接続部
１０８  セラミック円板
１１０  円筒部材
１１２  カソードハウジング
１１４  制御格子
１１５  有孔面
１１６  突起
１１８  連結手段
１２０  フィラメント
１２２  円形部
１２４  長円形部
１２６  膨出形状
１２８  長手終端部
１３０  長手境界部
１３２  自由縁
１３４  蓋
１３６  膨出部
１３８  板
１４０  近位蓋
１４２  小平面
１４４  孔
【図１】
2014526037.tif 000003
【図２】
2014526037.tif 000004
【図３】
2014526037.tif 000005
【図４】
2014526037.tif 000006
【図５ａ】
2014526037.tif 000007
【図５ｂ】
2014526037.tif 000008
【図６ａ】
2014526037.tif 000009
【図６ｂ】
2014526037.tif 000010
【図７】
2014526037.tif 000011
【図８】
2014526037.tif 000012
【国際調査報告】
2014526037.tif 000013
2014526037.tif 000014
2014526037.tif 000015